(57)【要約】      （修正有）【課題】回転時におけるバランスを向上させることによって、刈払性能を高めるとともに、草地や土壌への刃先の食い込みを防止し、安全性を高めた刈払機用刈刃を提供する。【解決手段】中心部に軸孔２を穿設した円盤状の回転体３からなる刈払機用刈刃１において、回転体３の一面３ａに軸孔２と同心円の複数のウエーブ面を曲成した。具体的には、軸孔２から放射方向に向けて上方に所定角度θで傾斜した凸状湾曲部４ａ、４ｂ、４ｃを形成し、該凸状湾曲部４ａ、４ｂ、４ｃを凹状湾曲面５ａ、５ｂ、５ｃで連接することによってウエーブ面を形成し、凸状湾曲部４ａ、４ｂ、４ｃの傾斜角度を１〜４５度とした。【選択図】図１
0003180762.tif 000002
【実用新案登録請求の範囲】
【請求項１】
中心部に軸孔を穿設した円盤状の回転体からなる刈払機用刈刃において、
回転体の一面に軸孔と同心円の複数のウエーブ面を曲成したことを特徴とする刈払機用刈刃。
【請求項２】
軸孔から放射方向に向けて上方に所定角度で傾斜した凸状湾曲部を形成し、該凸状湾曲部を凹状湾曲面で連接することによってウエーブ面を形成した請求項１記載の刈払機用刈刃。
【請求項３】
凸状湾曲部の傾斜角度を１〜４５度とした請求項２記載の刈払機用刈刃。
【請求項４】
凸状湾曲部を軸孔から等間隔で３方向に形成した請求項２又は３記載の刈払機用刈刃。
【請求項５】
凸状湾曲部を軸孔から等間隔で４方向に形成した請求項２又は３記載の刈払機用刈刃。
【請求項６】
回転体の外周端部は、凸状湾曲部と凹状湾曲面に沿って、連続的に上下方向の位置を異にするなだらかなウエーブ状の曲線を形成する請求項２，３，４又は５記載の刈払機用刈刃。
【請求項７】
回転体の外周端部の回転軌跡をなだらかなウエーブ状の曲線からなる円形とした請求項１，２，３，４，５又は６記載の刈払機用刈刃。
【考案の詳細な説明】
【技術分野】
【０００１】
本考案は、回転時における刃先の軌跡をウエーブさせることによって、刈払性能を高めるとともに、草地や土壌への刃先の食い込みを防止し、安全性を高めた刈払機用刈刃に関する。
【背景技術】
【０００２】
草刈り，山林の下刈りや小径木を刈払うために用いる刈払機の刈刃としては、図１１（ａ）に示すように、中心部に軸孔１２が穿設された円盤状の回転体１３からなり、外周部に刃部として一定間隔で多数の超硬チップ１４をロウ付けした刈払機用刈刃１１が知られている。また、超硬チップ１４に代えて、刃部を直接、回転体１３の外周部に刻設した構成も知られている。使用に際しては、図１１（ｂ）に示すように、刈払機本体（図示略）のシャフト１５に連結したギア部１６を軸孔１２に連結することによって、脱着自在に刈払機本体に装着している。そして、従来の刈払機用刈刃の回転体１３の回転面１３ａは、図１１（ｂ）に示すように、軸孔１２から外周部まで直線状であって、同一平面状に位置している。
【０００３】
また、刈払機用刈刃の課題の一つである草の巻き付きを防止するために、軸孔と同心円上に、軸孔より若干大きい複数個の草巻き付き防止孔を設けた刈払機用刈刃（特許文献１）や、回転体の一方の主面上に、該回転体の回転方向に面する部位に巻き付き防止刃部が形成された複数の突出部を備えた草刈刃も提供されている（特許文献２）。
【先行技術文献】
【特許文献】
【０００４】
【特許文献１】実用新案登録第２５４１５７９号公報
【特許文献２】特許第４１３７７５８号公報
【考案の概要】
【考案が解決しようとする課題】
【０００５】
刈払機用刈刃は高速で回転するため、刈払い作業には細心の注意を要する。前記した従来の刈払機用刈刃は、刃部の回転軌跡が直線状の円形であり、刃部が地面や草地等に食い込み易くて抜けにくく、又小石等の跳ね返りも多くなるため、危険性が高いものであった。刃先が縁石，石に当たると、刃先が損傷したり摩耗することが多く、頻繁に刃先としての超硬チップを補修したり、刃先を研磨する必要があり、刈払機用刈刃の寿命は短かった。加えて、刃先の損傷や摩耗によって刈払機用刈刃のバランスが狂い、危険性が増加した。更には、刈草が刈払機のシャフトに巻き付いたり、絡まることも多く、その都度作業を中断して取り除く必要があった。
【０００６】
前記特許文献１，２に示す刈払機用刈刃によれば、それぞれ刈草の巻き付き防止手段を採用しているが、特許文献１によれば、複数個の草巻き付き防止孔を別途形成する必要があり、又特許文献２によれば、巻き付き防止刃部を別途形成する必要があり、煩雑であるばかりか、刈払機用刈刃のバランスを崩してしまうおそれもあった。
【０００７】
そこで、本考案は刈払機用刈刃の刃部の回転軌跡に着目し、この回転軌跡をウエーブ状の曲線からなる円形とすることによって、刈払性能を高めるとともに、草地や土壌への刃先の食い込みを防止し、安全性を高めた刈払機用刈刃を提供することを目的とする。
【課題を解決するための手段】
【０００８】
本考案は上記目的を達成するために、中心部に軸孔を穿設した円盤状の回転体からなる刈払機用刈刃において、回転体の一面に軸孔と同心円の複数のウエーブ面を曲成した刈払機用刈刃を基本として提供する。そして、軸孔から放射方向に向けて上方に所定角度で傾斜した凸状湾曲部を形成し、該凸状湾曲部を凹状湾曲面で連接することによってウエーブ面を形成し、凸状湾曲部の傾斜角度を１〜４５度とした。また、凸状湾曲部を軸孔から等間隔で３方向に形成し、或いは凸状湾曲部を軸孔から等間隔で４方向に形成した。
【０００９】
そして、回転体の外周端部は、凸状湾曲部と凹状湾曲面に沿って、連続的に上下方向の位置を異にするなだらかなウエーブ状の曲線を形成し、回転体の外周端部の回転軌跡をなだらかなウエーブ状の曲線からなる円形とした。
【考案の効果】
【００１０】
本考案によれば、草刈り，山林の下刈りや小径木等の各種の刈払いが容易であって、刈払性能が高い。また、刃部が地面や草地等に食い込むことがなく、更に小石等の跳ね返りも少なく、危険性を大幅に低減することができる。そして、使用に際しては、刈払機に装着した刈払機用刈刃を刈払対象物において軽く左右に動かすだけで、前記した作用によって刈払いを容易に行うことができる。なお、回転中心となる軸孔の位置は変動することはないので、回転体の外周端部の回転軌跡がなだらかなウエーブ状の曲線であっても、ぶれや振動が生じることはない。
【００１１】
また、刃先が縁石，石に当たった場合にも、刃先が損傷したり摩耗することが少ないため、長期間安定して使用することができる。加えて、刃先の損傷や摩耗によって刈払機用刈刃のバランスが狂うことが少ないため、所期の性能を長期間に亘って安定して発揮することができる。更には、刈草は刃先のウエーブに沿って複数の方向に刈払われるため、刈草が刈払機のシャフトに巻き付いたり、絡まることも少ない。
【図面の簡単な説明】
【００１２】
【図１】本考案にかかる刈払機用刈刃の第１実施形態を示す平面図。
【図２】同正面図。
【図３】同背面図。
【図４】図１のＡ−Ａ断面図。
【図５】図１のＢ−Ｂ断面図。
【図６】本考案にかかる刈払機用刈刃の第２実施形態を示す平面図。
【図７】同正面図。
【図８】図６のＣ矢視図。
【図９】図６のＤ−Ｄ断面図。
【図１０】図６のＥ−Ｅ断面図。
【図１１】従来の刈払機用刈刃の（ａ）平面図、（ｂ）中央横断面図。
【考案を実施するための形態】
【００１３】
以下図面に基づいて本考案にかかる刈払機用刈刃の実施形態を説明する。図１は本考案にかかる刈払機用刈刃１の第１実施形態を示す平面図、図２は正面図、図３は背面図、図４は図１のＡ−Ａ断面図、図５は図１のＢ−Ｂ断面図である。刈払機用刈刃１は、中心部に軸孔２が穿設された円盤状の回転体３からなり、外周部には、一定間隔で多数の超硬チップ（図示略）をロウ付けし、或いは刃部（図示略）を直接刻設している。
【００１４】
刈払機用刈刃１は、回転体３の一面３ａに軸孔２から放射方向に向けて上方に所定角度θ（図３参照）で傾斜した凸状湾曲部４ａ，４ｂ，４ｃを等間隔で３方向に形成してある。凸状湾曲部４ａ，４ｂ，４ｃの頂部は図２〜図５に示すように、同一曲率のなだらかな曲面から構成されている。この凸状湾曲部４ａ，４ｂ，４ｃを凹状湾曲面５ａ，５ｂ，５ｃで連接することによって、回転体３の一面３ａに軸孔２と同心円の複数のウエーブ面を曲成する。なお、凸状湾曲部４ａ，４ｂ，４ｃを形成する回転体３の一面３ａとして、回転体の上面を使用したが、下面であってもよい。
【００１５】
図３に示す凸状湾曲部４ａ，４ｂ，４ｃの軸孔２からの傾斜角度θは１〜４５度の範囲、好ましくは３〜７度の範囲が適当である。直径２５５ｍｍ程度の刈払機用刈刃１の場合、傾斜角度θを５度とすると、凸状湾曲部４ａ，４ｂ，４ｃの外周端部３ｂは軸孔２から約７ｍｍ程高い位置に形成される。なお、角度θに特に限定があるわけではなく、使用用途に応じて任意の角度で設定することができる。
【００１６】
図６は本考案にかかる刈払機用刈刃１の第２実施形態を示す平面図、図７は正面図、図８は図６のＣ矢視図、図９は図６のＤ−Ｄ断面図、図１０は図６のＥ−Ｅ断面図である。第１実施形態と同一の構成については、同一の符号を付してその説明を省略する。
【００１７】
刈払機用刈刃１は、回転体３の一面３ａに軸孔２から放射方向に向けて上方に所定角度θ（図７参照）で傾斜した凸状湾曲部６ａ，６ｂ，６ｃ，６ｄを等間隔で４方向に形成してある。凸状湾曲部６ａ，６ｂ，６ｃ，６ｄの頂部は図７〜図１０に示すように、同一曲率のなだらかな曲面から構成されている。この湾曲部６ａ，６ｂ，６ｃ，６ｄを凹状湾曲面７ａ，７ｂ，７ｃ，７ｄで連接することによって、回転体３の一面３ａをウエーブ面として形成している。
【００１８】
図７に示す凸状湾曲部６ａ，６ｂ，６ｃ，６ｄの軸孔２からの傾斜角度θは１〜４５度の範囲、好ましくは３〜７度の範囲が適当である。直径２５５ｍｍ程度の刈払機用刈刃１の場合、傾斜角度θを５度とすると、凸状湾曲部６ａ，６ｂ，６ｃ，６ｄの外周端部３ｂは軸孔２から約７ｍｍ程高い位置に形成される。なお、角度θに特に限定があるわけではなく、任意の角度で設定することができる。
【００１９】
第１実施形態では３個の凸状湾曲部４ａ，４ｂ，４ｃを、第２実施形態では４個の凸状湾曲部６ａ，６ｂ，６ｃ，６ｄを採用したが、凸状湾曲部の数に限定があるわけではなく、４個を超える多数であってもよく、複数のウエーブ面を形成することが本考案の特徴である。
【００２０】
前記構成の第１実施形態及び第２実施形態によれば、回転体３の外周端部３ｂは、凸状湾曲部４ａ，４ｂ，４ｃ（６ａ，６ｂ，６ｃ，６ｄ）と凹状湾曲面５ａ，５ｂ，５ｃ（７ａ，７ｂ，７ｃ，７ｄ）に沿って、連続的に上下方向の位置を異にするなだらかなウエーブ状の曲線を形成する。そのため、刈払機に装着して使用する場合には、回転体３の外周端部３ｂの回転軌跡はなだらかなウエーブ状の曲線からなる円形となる。
【００２１】
前記構成の刈払機用刈刃１を刈払機に装着して回転駆動させて使用すると、回転体３の外周端部３ｂの回転軌跡はなだらかなウエーブ状の曲線からなる円形となるため、刈り払うべき草，下草，小径木等の刈払対象物に対して、刈払機用刈刃１の刃部のウエーブによって、これらを持ち上げるようにして順次位置を異にするように上下方向に位置を変えながら刈払うこととなる。
【産業上の利用可能性】
【００２２】
以上記載した本考案によれば、草刈り，山林の下刈りや小径木等の各種の刈払いが容易であって、刈払性能が高い。また、刃部が地面や草地等に食い込むことがなく、更に小石等の跳ね返りも少なく、危険性を大幅に低減することができる。そして、使用に際しては、刈払機に装着した刈払機用刈刃を刈払対象物において軽く左右に動かすだけで、前記した作用によって刈払いを容易に行うことができる。なお、回転中心となる軸孔の位置は変動することはないので、回転体の外周端部の回転軌跡がなだらかなウエーブ状の曲線であっても、ぶれや振動が生じることはない。
【００２３】
また、刃先が縁石，石に当たった場合にも、刃先が損傷したり摩耗することが少ないため、長期間安定して使用することができる。加えて、刃先の損傷や摩耗によって刈払機用刈刃のバランスが狂うことが少ないため、所期の性能を長期間に亘って安定して発揮することができる。更には、刈草は刃先のウエーブに沿って複数の方向に刈払われるため、刈草が刈払機のシャフトに巻き付いたり、絡まることも少ない。
【符号の説明】
【００２４】
１…刈払機用刈刃
２…軸孔
３…回転体
３ａ…（回転体３の）一面
３ｂ…（回転体３の）外周端部
４ａ，４ｂ，４ｃ，６ａ，６ｂ，６ｃ，６ｄ…凸状湾曲部
５ａ，５ｂ，５ｃ，７ａ，７ｂ，７ｃ，７ｄ…凹状湾曲面
【図１】
0003180762.tif 000003
【図２】
0003180762.tif 000004
【図３】
0003180762.tif 000005
【図４】
0003180762.tif 000006
【図５】
0003180762.tif 000007
【図６】
0003180762.tif 000008
【図７】
0003180762.tif 000009
【図８】
0003180762.tif 000010
【図９】
0003180762.tif 000011
【図１０】
0003180762.tif 000012
【図１１】
0003180762.tif 000013